(57)【特許請求の範囲】
【請求項１】
ナースステーション側に設置されており、病室の各患者ベッドに対応して設置されたナースコール子機との間で双方向通話が可能なナースコール親機装置における、前記ナースコール子機にそれぞれ対応する多数の選局ボタン類を有して構成する選局ユニットを前記選局ボタン類を複数個組となるよう分割して、分割選局ユニットを構成し、この各分割選局ユニットは、前記ナースコール子機の数に対応する選局ボタン類の必要数に応じて使用個数を選択し、選択した各分割選局ユニットを適宜組み合わせて使用するようにしたことを特徴とするナースコール親機装置。
【請求項２】
分割選局ユニットは、選局ボタン類が配置された上ケースと、ナースステーションの壁面に設置される下ケースとで構成することを特徴とする請求項1 記載のナースコール親機装置。
【請求項３】
ナースステーションの壁面に設置された互いに隣り合う一対の下ケースの間を、連結スペーサによって所定幅の間隙をおいて位置決めしたことを特徴とする請求項１又は２記載のナースコール親機装置。
【請求項４】
連結スペーサは、互いに隣り合う下ケースの両対向側壁間の所定の間隙スペースを確保するスペーサ部と、前記各下ケースの対向側壁にそれぞれ設けた嵌合穴に嵌入してこれら隣り合う下ケースを連結する一対の連結片部とから構成することを特徴とする請求項３記載のナースコール親機装置。
【請求項５】
連結スペーサの連結片部に係合してを嵌合穴の底部との間で連結スペーサを挟着する挟着係合片を、下ケースの底壁に立設したことを特徴とする請求項４記載のナースコール親機装置。
【請求項６】
連結スペーサの各連結片部の先端に、それぞれ外方に開口するＵ字状のねじ穴を形成し、このねじ穴に通したねじによって、連結スペースを互いに隣り合う下ケースの底壁に取り付けたことを特徴とする請求項４又は５記載のナースコール親機装置。
【請求項７】
各下ケースの底部に取付貫通穴を設けると共に、連結スペーサの連結片部に設けたＵ字状のねじ穴より挿通したねじを、前記取付貫通穴を貫通させて、ナースステーションの壁面に螺合することにより、下ケース及び前記連結スペーサをナースステーションの壁に共締めしたことを特徴とする請求項４乃至請求項６のいずれか１に記載のナースコール親機装置。
【請求項８】
各下ケースの底部に設けた取付穴を、下ケースの底部に立設したボスに形成したことを特徴とする請求項７記載のナースコール親機装置。
【発明の詳細な説明】
【０００１】
【産業上の利用分野】
本発明は、通話機及び通話回線を介して看護スタッフと患者とのコミュニケーションを可能とするナースコールシステムにおいて、ナースステーション側に設置されて、病室の各患者ベッドに対応して設置されるナースコール子機との間で双方通話が可能なナースコール親機装置に関する。
【０００２】
【従来の技術】
ナースコールシステムは、図９に示すように、例えば一の病棟を管理するナースステーション１に設置されたナースコール親機１１と、一の病棟の各病室の各患者ベッド毎に設置されるナースコール子機３１、３１、３１と、これらナースコール親機１１及びナースコール子機３２、３２とを病室アダプタ３２、３２を介して接続する制御装置２とで構成している。
【０００３】
そして、ナースコール親機１１は、通話手段である通話機１２及び選局ユニット１３とを有して構成しており、このうち選局ユニット１３は、各ナースコール子機３１、３１、３１に対応して設けられる通話選局ボタン１３ａと各ナースコール子機３１、３１、３１の呼出があったことを表示する呼出表示ランプ１３ｂとナンバー等で各患者ベッドをそれぞれ特定するためのベッド番号を表示するベッド番号表示部１３ｃとを一組とする選局ボタン類を有し、この選局ボタン類を多数並置されて構成している。図示のものでは、縦３列のそれぞれ２０組の通話選局ボタン１３ａ、呼出表示ランプ１３ｂ及びベッド表示部１３ｃからなる選局ボタン類を有して構成している。
【０００４】
以上のように構成するナースコールシステムにおいて、各病室アダプタ３２には、それぞれ異なる識別番号が設定されており、制御装置２からコマンドやディジタル音声信号を送信する場合には、この識別番号と子機３１のベッド番号とを付加することで、指定した病室アダプター３２の子機３２に送信することができる。
【０００５】
病室アダプター３２は制御装置２から送信されたコマンドやディジタル音声信号が自己宛ものか否かを識別番号によって判定し、自己宛のものであればそれらを受信する。コマンドを受信した場合はその内容に応じた処理を実行し、ディジタル音声信号を受信した場合はアナログ音声信号に変換して指定された子機３１に送出する。
【０００６】
反対に、子機３１から制御装置２にコマンドやディジタル音声信号を送信する場合は、自己のベッド番号及び自己の属する病室アダプター３１の識別番号を病室アダプター３２で付加して送信する。これによって、制御装置２は発信元の子機３１を特定することができる。
【０００７】
この結果、ナースコール親機１１側において、選局ユニット１３の呼出表示ランプ１３ｂのうち、発呼しているベッド番号に該当する呼出表示ランプ１３ｂが点滅する。この点滅を認識した看護婦は、ベッド番号表示部１３ｃによって呼び出している患者を確認しながら、通話選局ボタン１３ａを押下して、通話機１２によって、発呼者である患者との通話を開始する。
【０００８】
そして、従来のナースコール親機１１は、図１０に示すように、通話選局ボタン１３ａ、呼出表示ランプ１３ｂ及びベッド番号表示部１３ｃを各１を一組とする選局ボタン類を、多数並置して構成しており、例えば図示するものでは、縦３列のそれぞれ２０組の選局ボタン類を１ユニットとする一体不可分のものとして構成している。従って、図示のナースコール親機１１は、最大ベッド数６０床の管理を受け持つナースステーション１に適用される場合である。
【０００９】
【発明が解決しようとする課題】
しかしながら、１つのナースステーション１においては、必ずしも、自己が受け持つベッド数が６０床に限定されているものではなく、６０床以下の場合や増設により６０床以上を必要とする場合が出てくる。
【００１０】
この様な場合、従来のナースコール親機１１では、ベッド数が少ない場合にも、管理ベッド数の多いナースコール親機を使用せざるを得ず、また、例えば６０床にはるかに満たないベッド数の増加による選局ボタン類の増設を行う場合であっても、やはり例えば６０床分の選局ボタン類を有する別のナースコール親機機を増設するほかなく、ナースコール親機１１の設置スペースが拡大するばかりでなく、無駄な選局ボタン類を沢山確保する結果、自体の大型化と共に、コスト的にも不利となっていた。
【００１１】
そこで、本発明は、かかる従来のナースコール親機を考慮して、各ナースステーションの管理するベッド数に応じて、柔軟に選局ボタン類の個数が選択でき、小型化、設置スペースの縮小或いはコスト的に有利なナースコール親機装置を提供することを目的としている。
【００１２】
【課題を解決するための手段】
上記目的を達成するために本発明は、ナースコール子機にそれぞれ対応する多数の選局ボタン類を有して構成する選局ユニットを、選局ボタン類を複数個組となるように分割して、分割選局ユニットを構成し、この各分割選局ユニットは、前記ナースコール子機の数に対応する選局ボタン類の必要数に応じて使用個数を選択し、選択した各分割選局ユニットを適宜組み合わせて使用するように構成したものである。
【００１３】
この結果、管理すべきナースコール子機の数に対応して、分割選局ユニットの数を適宜選択することによって、無駄な選局ボタン類を極力少なくし、ナースコール親機の小型化、設置スペースの狭小化、これらに伴うコストの低減をかかることができる。
【００１４】
【発明の実施の形態】
請求項１記載の本発明は、ナースステーション側に設置されており、病室の各患者ベッドに対応して設置されたナースコール子機との間で双方向通話が可能なナースコール親機装置における、前記ナースコール子機にそれぞれ対応する多数の選局ボタン類を有して構成する選局ユニットを前記選局ボタン類を複数個組となるよう分割して、分割選局ユニットを構成し、この各分割選局ユニットは、前記ナースコール子機の数に対応する選局ボタン類の必要数に応じて使用個数を選択し、選択した各分割選局ユニットを適宜組み合わせて使用するようにしたことを特徴とするものである。
【００１５】
この結果、管理すべきナースコール子機の数に対応して、分割選局ユニットの数を適宜選択することによって、無駄な選局ボタン類を極力少なくし、ナースコール親機の小型化、設置スペースの狭小化、これらに伴うコストの低減をかかることができる。
【００１６】
請求項２に記載の本発明は、請求項１記載の分割選局ユニットを、選局ボタン類が配置された上ケースと、ナースステーションの壁面に設置される下ケースとで構成するもので、選局ボタン類を上ケースに配置した結果、機構部分がない下ケースを、ナースステーションの壁面に確実且つ機構部分をドライバー等で傷つけることなく、容易に取り付けることができる。
【００１７】
請求項３に記載の本発明は、請求項１又は２記載のナースステーションの壁面に設置された互いに隣り合う一対の下ケースの間を、連結スペーサによって所定幅の間隙をおいて位置決めしたことを特徴とするもので、たとえ下ケースの外側を上ケースが覆う形で組み合わされる場合にも、上ケースの側壁の板厚部分のスペースを下ケース間に確保することができ、下ケースの壁面への取付を容易にしている。
【００１８】
請求項４に記載の本発明は、請求項３記載の連結スペーサは、互いに隣り合う下ケースの両対向側壁間の所定の間隙スペースを確保するスペーサ部と、前記各下ケースの対向側壁にそれぞれ設けた嵌合穴に嵌入してこれら隣り合う下ケースを連結する一対の連結片部とから構成するもので、スペーサ部によって、下ケース間の間隙を容易に確保することができる。
【００１９】
請求項５に記載の本発明は、請求項４記載の連結スペーサの連結片部に係合して嵌合穴の底部との間で連結スペーサを挟着する挟着係合片を、下ケースの底壁に立設して構成するもので、連結スペーサの位置決めが容易となると共に、連結スペーサが確実に固定される。
【００２０】
請求項６に記載の本発明は、請求項４又は５記載の連結スペーサの各連結片部の先端に、それぞれ外方に開口するＵ字状のねじ穴を形成し、このねじ穴に通したねじによって、連結スペースを互いに隣り合う下ケースの底壁に取り付けて構成するもので、連結スペーサの連結片部の先端に形成したねじ穴が外方に開口しているため、ねじをナースステーションの壁面に仮設置した後に、このねじに連結スペーサのねじ穴を挿入することができ、連結スペーサの位置決め及び取付が容易となる。
【００２１】
請求項７に記載の本発明は、請求項４乃至６のいずれか１の記載の各下ケースの底部に取付貫通穴を設けると共に、連結スペーサの連結片部に設けたＵ字状のねじ穴より挿通したねじを、前記取付貫通穴を貫通させて、ナースステーションの壁面に螺合することにより、下ケース及び前記連結スペーサをナースステーションの壁に共締めして構成するもので、連結スペーサの取付用ねじと下ケース取付用のねじとを共用化できることになる。
【００２２】
請求項８に記載の本発明は、請求項７記載の各下ケースの底壁に設けた取付貫通穴を、下ケースの底部に立設したボスに形成して構成するもので、ボスがねじを案内することにより、ねじが容易に位置決めされて、ナースステーションの壁面に螺合されることになって、下ケースがナースステーションの壁面に確実且つ容易にに取り付けることができ、取り付け作業性の向上が図れる。
【００２３】
次に、本発明の実施の形態について、図１乃至図７を用いて説明する。
【００２４】
図中、２１は、ナースコール親機であって、このナースコール親機２１は、図示しないナースコール子機との間で通話を行うための通話手段である通話機２１と特定のナースコール子機を選択して選択したナースコール子機との通話を可能と選局ユニット２２とを有して構成している。
選局ユニット２２は、本実施の形態では、３つの分割選局ユニット２３に分割して構成している。
【００２５】
各分割選局ユニット２３は、それぞれ、各ナースコール子機に対応して設けられる通話選局ボタン２４と各ナースコール子機の呼出があったことを表示する呼出表示ランプ２５とナンバー等各患者ベッドをそれぞれ特定するためのベッド番号を表示しているベッド番号表示部２６とを一組とする選局ボタン類を多数有して構成している。この実施の形態では、各分割選局ユニット２３は、縦１列にそれぞれ２０組の通話選局ボタン２４、呼出表示ランプ２５及びベッド表示部２６からなる選局ボタン類を配して構成している。
【００２６】
そして、各分割選局ユニット２３は、通話選局ボタン２４、呼出表示ランプ２５及びベッド表示部２６ｃからなる選局ボタン類が配置された上ケース３０と、ナースステーションの壁面に設置される下ケース４０とで構成している。
さらに、分割選局ユニット２３は、上下２個の連結スペーサ５０によって互いに隣同士に連結されてナースステーションの壁面に設置されている。
連結スペーサ５０は、図３に示すように、互いに隣り合う下ケース４０の両対向側壁４１間の所定の間隙スペースを確保するスペーサ部５１と、このスペーサ部５１の両対向側壁より張出して形成された一対の連結片部５２とから構成している。
【００２７】
スペーサ部５１は、連結片部５２より板厚に形成されており、連結片部５２側方向の幅が、互いに隣り合う下ケース４０間の必要な所定幅と同等に形成されている。
【００２８】
連結片部５２は、その先端に外方に開口する一対のＵ字状のねじ穴５２ａを形成しており、下ケース４０の両対向側壁４１に互いに離間して設けられた一対の嵌合穴４２に嵌合するように形成されている。
【００２９】
下ケース４０の底壁４３の両側部には、連結スペーサ５０の連結片部５２が嵌合穴４２に嵌合した状態で、連結片部４２の先端部に係合する一対の挟着係合片４４がそれぞれ立設されており、この挟着係合片４４は、連結片部４２の先端部に係合することにより、嵌合穴４２の底部との間で連結スペーサ５０を挟着固定している。
【００３０】
下ケース４０の底部には、一対の挟着係合片４４の間に位置するように、ボス４５が立設されており、このボス４５には、ナースステーションの壁面への取付貫通穴４６が設けられている。この取付貫通穴４６は、連結スペーサ５０の連結片部５２に設けたねじ穴５２ａより挿通したねじ６０が貫通するようになっており、この取付貫通穴４６を貫通したねじ６０は、ナースステーションの壁面に螺合することにより、下ケース４０及び連結スペーサ５０をナースステーションの壁に共締めしている。
【００３１】
下ケース４０をナースステーションの壁面に取り付ける場合、まず図５及び図６に示すように、互いに隣りあうべき下ケース４０、４０の両嵌合穴４２に、横向きにした連結スペーサ５０の両連結片部５２を嵌合し、挟着係合片４４を両連結片部５２の先端に係合させることによって、連結スペーサ５０を挟着係合片４４と嵌合穴４２の底部との間で挟着して、連結スペーサ５０を固定し、両下ケース４０を、スペーサ部５１の幅寸法により所定幅の隙間を明けて連結する。
その後、連結片部５２のねじ穴５２ａおよびぼす４５の取付貫通穴４６にねじ６０を挿通して、このねじ６０をナースステーションの壁面に螺合することにより、両下ケース４０をナースステーションの壁面に設置されることになる。
【００３２】
このようにナースステーションの壁面に設置された各下ケース４０には、それぞれ選局ボタン類が設置された上ケース３０を被せることによって、各分割ユニット２３をナースステーションの壁面に設置することになる。従って、連結スペーサ５０によって形成された互いに隣り合う下ケース４０の間の間隙は、互いに隣り合う上ケース３０の両側壁の板厚より若干幅広に成るようになっている。
ナースステーションの壁面に設置された下ケース４０のうち一番外側に位置する下ケース４０は、連結片部５２を嵌合する嵌合穴４２が空いたままとなることになるが、この実施の形態では、図７及び図８に示すように、連結スペーサ５０を縦向きにし、しかも、連結片部５２が下ケース４０の内側に位置するようにして、そのスペーサ部５１を嵌合穴４２に嵌合することによって、嵌合穴４２を嵌合することができる。
【００３３】
また、上ケース３０の側壁の内側には、図２に示すように、コ字状の切欠き部３１が刻設されており、上ケース３０の間にリード線等を渡す場合の連通穴が形成できるようになっている。又、下ケース４０には、切欠き部３１に対応してリード線等を渡す連通穴４７が穿設されている。
【００３４】
以上のように構成するナースコール親機においては、ナースコール子機にそれぞれ対応して選局ユニット２２が、通話選局ボタン２４、呼出表示ランプ２５およびベッド番号表示部２６を有して構成する多数の選局ボタン類を有して構成する場合、通話選局ボタン２４、呼出表示ランプ２５およびベッド番号表示部２６を有して構成する選局ボタン類を複数個組となるよう分割して構成した分割選局ユニット２３で構成されるために、この各分割選局ユニット２３は、管理すべきナースコール子機の数に対応する選局ボタン類の必要数に応じて使用個数を選択し、選択した各分割選局ユニット２３を適宜組み合わせて使用することができることになり、無駄な選局ボタン類を極力少なくし、ナースコール親機２０の小型化、設置スペースの狭小化、これらに伴うコストの低減をかかることができる。
【００３５】
又、分割選局ユニットを、選局ボタン類が配置された上ケース３０と、ナースステーションの壁面に設置される下ケース４０とで構成し、選局ボタン類を上ケース３０に配置した結果、機構部分がない下ケース４０を、ナースステーションの壁面に確実且つ機構部分をドライバー等で傷つけることなく、容易に取り付けることができる。
【００３６】
又、ナースステーションの壁面に設置された互いに隣り合う一対の下ケース４０の間を、連結スペーサ５０によって所定幅の間隙をおいて位置決めしている結果、たとえ下ケース４０の側壁を上ケースの側壁が覆う形で組み合わされる場合にも、上ケース３０の側壁の板厚部分のスペースを下ケース４０間に確保することができ、下ケース４０の壁面への取付を容易にしている。
【００３７】
連結スペーサ５０は、互いに隣り合う下ケース４０の両対向側壁４１間の所定の間隙スペースを確保するスペーサ部５１と、各下ケース４０の対向側壁４１にそれぞれ設けた嵌合穴４２に嵌入してこれら隣り合う下ケース４０を連結する一対の連結片部５２とから構成している結果、スペーサ部５１によって、下ケース４０間の間隙を容易に確保することができる。
【００３８】
又、連結スペーサ５０の連結片部５２に係合して嵌合穴４２の底部との間で連結スペーサ５０を挟着する挟着係合片４４を、下ケース４０の底壁４３に立設していることから、連結スペーサ５０の位置決めが容易となると共に、連結スペーサ５０が確実に固定される。
【００３９】
又、連結スペーサ５０の各連結片部５２の先端に、それぞれ外方に開口するＵ字状のねじ穴５２ａを形成し、このねじ穴５２ａに通したねじ６０によって、連結スペーサ５０を互いに隣り合う下ケース４０の底壁４３に取り付けてるもので、連結スペーサ５０の連結片部５２の先端に形成したねじ穴５２ａが外方に開口しているため、ねじ６０をナースステーションの壁面に仮設置した後に、このねじ６０に連結スペーサ５２のねじ穴５２ａを挿入することができ、連結スペーサ５０の位置決め及び取付が容易となる。
【００４０】
下ケース４０の底壁に取付貫通穴４６を設けると共に、連結スペーサ５０の連結片部５２に設けたＵ字状のねじ穴５２ａより挿通したねじ６０を、取付貫通穴４６を貫通させて、ナースステーションの壁面に螺合することにより、下ケース４０及び連結スペーサ５０をナースステーションの壁に共締めしたことから、下ケース４０の取付ねじと連結スペーサ５０の取付用のねじとを共用化できることになる。
【００４１】
更に、下ケース４０の底壁４３に設けた取付貫通穴４６を、下ケース４０の底壁に立設したボス４５に形成しているため、ボス４５がねじ６０を案内することにより、ねじ６０が容易に位置決めされて、ナースステーションの壁面に螺合されて、下ケース４０がナースステーションの壁面に確実且つ容易にに取り付けることができ、取り付け作業性の向上が図れる。
【００４２】
【発明の効果】
以上のように構成する本発明は、ナースステーション側に設置されて、病室の各患者ベッドに対応して設置されたナースコール子機との間で双方向通話が可能なナースコール親機装置における、前記ナースコール子機にそれぞれ対応する多数の選局ボタン類を有して構成する選局ユニットを前記選局ボタン類を複数個組となるよう分割して、分割選局ユニットを構成し、この各分割選局ユニットは、前記ナースコール子機の数に対応する選局ボタン類の必要数に応じて使用個数を選択し、選択した各分割選局ユニットを適宜組み合わせて使用するように構成したため、管理すべきナースコール子機の数に対応して、分割選局ユニットの数を適宜選択することによって、無駄な選局ボタン類を極力少なくし、ナースコール親機の小型化、設置スペースの狭小化、これらに伴うコストの低減をかかることができる。
【図面の簡単な説明】
【図１】本発明の実施の形態によるナースコール親機装置の正面図
【図２】図１における選局ユニットの分解斜視図
【図３】連結スペーサの斜視図
【図４】連結スペーサの組付け前の状態の互いに隣り合う一対の下ケースの斜視図
【図５】連結スペーサを下ケースに組み付け場合の行程図を示す要部斜視図で、（１）は組付け前、（２）は組付け後の状態
【図６】下ケースへの連結スペーサの組付け状態を示す断面図
【図７】連結スペーサにより下ケースの使用しない嵌合穴を塞ぐ場合の行程図であり、（１）は組付け前、（２）は組付け後の状態
【図８】連結スペーサにより下ケースの使用しない嵌合穴を塞いだ状態を示す断面図
【図９】ナースコールシステムを示す構成ブロック図
【図１０】従来のナースコール親機装置を示す正面図
【符号の説明】
１２，２１  通話機
１３，２２  選局ユニット
２０  ナースコール親機
２３  分割選局ユニット
２４  通話選局ボタン
２５  呼出ランプ
２６  ベッド番号表示部
３０  上ケース
４０  下ケース
４１  対向側壁
４２  嵌合穴
４３  底壁
４４  挟着係合片
４５  ボス
４６  取付貫通穴
５０  連結スペーサ
５１  スペーサ部
５２  連結片部
５２ａ  ねじ穴
６０  ねじ
【図１】
0004163786.tif 000002
【図２】
0004163786.tif 000003
【図３】
0004163786.tif 000004
【図４】
0004163786.tif 000005
【図５】
0004163786.tif 000006
【図６】
0004163786.tif 000007
【図７】
0004163786.tif 000008
【図８】
0004163786.tif 000009
【図９】
0004163786.tif 000010
【図１０】
0004163786.tif 000011